(57)【要約】【課題】  ユーザの利便性を損なうことなく、ライセンスの有効性を管理しながらコンテンツを利用させることを可能とする。【解決手段】  ダウンロード端末２０４は、自身の端末識別子をもって定期不定期にサーバに永続視聴ライセンスの有効性確認を行い、事業者ｗｅｂサーバ７００は、ダウンロード端末２０４から別端末へのに対するライセンス移行処理が過去に行われていた場合には、ライセンス移行処理を行った日時情報を有効性確認結果としてダウンロード端末２０４に返送する。ダウンロード端末２０４は、事業者ｗｅｂサーバ７００から返送された日時情報よりも以前に取得した永続視聴ライセンスと、それに関連付けられたコンテンツおよび復号鍵を消去する。【選択図】  図２
2009042925.tif 000002
【特許請求の範囲】
【請求項１】
ダウンロード端末におけるダウンロードコンテンツの利用方法であって、
前記ダウンロード端末は、各端末毎に固有な端末識別子に関連付けられる永続視聴ライセンスを取得し、
前記永続視聴ライセンスに関連づけられるダウンロードコンテンツを蓄積し、
サーバに対して前記端末識別子を送って前記永続視聴ライセンスの有効性を確認し、前記サーバから再生可否判断基準日時が含まれた前記確認に対する結果を受信し、
前記永続視聴ライセンスを取得した日時が前記再生可否判断基準日時よりも古い場合には前記ダウンロードコンテンツの再生可否判断を否と判定することを特徴とする、コンテンツ利用方法。
【請求項２】
前記サーバへの確認に対する確認応答は、定期または不定期に行うことを特徴とする、請求項１に記載のコンテンツ利用方法。
【請求項３】
前記ダウンロード端末は、サーバにおいて前記永続視聴ライセンスが別端末の端末識別子に関連付け直されて前記永続視聴ライセンスが失効したか否かを、前記サーバに対して前記端末識別子を送って定期不定期に確認し、その確認結果に基づいて前記ダウンロードコンテンツの再生可否判断をすることを特徴とする、請求項１に記載のコンテンツ利用方法。
【請求項４】
前記端末識別子を前記サーバに送る際に、前記永続視聴ライセンスに固有のライセンス識別子を一緒に前記サーバに送り、前記サーバが判定した前記ダウンロード端末に関連付けられた前記永続視聴ライセンスの有効性確認結果を前記ダウンロードコンテンツの再生可否判断とすることを特徴とする、請求項１に記載のコンテンツ利用方法。
【請求項５】
ダウンロード端末におけるダウンロードコンテンツの利用方法であって、
前記ダウンロード端末は、
各端末毎に固有な端末識別子に関連付けられる永続視聴ライセンスを取得し、
前記永続視聴ライセンスに関連づけられるダウンロードコンテンツを蓄積し、
サーバに対して前記端末識別子を送って前記永続視聴ライセンスの有効性を定期不定期に確認した結果に基づいて前記ダウンロードコンテンツの再生可否判断をすることを特徴とするコンテンツ利用方法。
【請求項６】
ダウンロード端末におけるダウンロードコンテンツの利用方法であって、
前記ダウンロード端末は、
各端末毎に固有な端末識別子に関連付けられる永続視聴ライセンスを取得し、
前記永続視聴ライセンスに関連づけられるダウンロードコンテンツを蓄積し、
サーバにおいて前記永続視聴ライセンスが別端末の端末識別子に関連付け直されて前記永続視聴ライセンスが失効したか否かを、前記サーバに対して前記端末識別子を送って定期不定期に確認し、その確認結果に基づいて前記ダウンロードコンテンツの再生可否判断をすることを特徴とするコンテンツ利用方法。
【請求項７】
前記ダウンロードコンテンツの再生可否判断が否であった場合には、前記永続視聴ライセンスおよび前記ダウンロードコンテンツの少なくともどちらか一方を消去することを特徴とする、請求項１から６のいずれかに記載のコンテンツ利用方法。
【請求項８】
前記ダウンロードコンテンツは暗号化されており、
前記ダウンロードコンテンツの再生可否判断が否であった場合には、前記永続視聴ライセンスに対応する復号鍵を消去することを特徴とする、請求項１から６のいずれかに記載のコンテンツ利用方法。
【請求項９】
前記サーバに対する前記永続視聴ライセンスの有効性の確認を、あらかじめ定められた条件内に実行できない場合には、少なくとも前記永続視聴ライセンスの有効性の確認を実行するまでの間、前記ダウンロードコンテンツの再生を行わないことを特徴とする、請求項１から６のいずれかに記載のコンテンツ利用方法。
【請求項１０】
前記条件は、前記永続視聴ライセンスの有効性を前回確認してからの経過時間であることを特徴とする、請求項９に記載のコンテンツ利用方法。
【請求項１１】
各端末毎に固有な端末識別子に関連付けられる永続視聴ライセンスと、
前記永続視聴ライセンスに関連づけられるダウンロードコンテンツとを蓄積する蓄積手段と、
サーバに対して前記端末識別子を送って前記永続視聴ライセンスの有効性を確認するライセンス有効性確認手段と、
前記サーバから再生可否判断基準日時が含まれた前記確認に対する結果を受信し、前記永続視聴ライセンスを取得した日時が前記再生可否判断基準日時よりも古い場合には前記ダウンロードコンテンツの再生可否判断を否と判定する再生可否判断手段とを備えたことを特徴とする、ダウンロード端末。
【請求項１２】
前記ライセンス有効性確認手段は、前記サーバへの確認に対する確認応答を、定期または不定期に行うことを特徴とする、請求項１１に記載のダウンロード端末。
【請求項１３】
前記ライセンス有効性確認手段は、前記サーバにおいて前記永続視聴ライセンスが別端末の端末識別子に関連付け直されて前記永続視聴ライセンスが失効したか否かを、前記サーバに対して前記端末識別子を送って定期不定期に確認し、
前記再生可否判断手段は、前記ライセンス有効性確認手段の確認結果に基づいて前記ダウンロードコンテンツの再生可否判断をすることを特徴とする、請求項１１に記載のダウンロード端末。
【請求項１４】
前記ライセンス有効性確認手段は、前記端末識別子を前記サーバに送る際に、前記永続視聴ライセンスに固有のライセンス識別子を一緒に前記サーバに送り、
前記再生可否判断手段は、前記サーバが判定した前記ダウンロード端末に関連付けられた前記永続視聴ライセンスの有効性確認結果を前記ダウンロードコンテンツの再生可否判断とすることを特徴とする、請求項１１に記載のダウンロード端末。
【請求項１５】
各端末毎に固有な端末識別子に関連付けられる永続視聴ライセンスと前記永続視聴ライセンスに関連づけられるダウンロードコンテンツとを蓄積する蓄積手段と、
サーバに対して前記端末識別子を送って前記永続視聴ライセンスの有効性を定期不定期に確認するライセンス有効性確認手段と、
前記ライセンス有効性確認手段の判断結果に基づいて前記ダウンロードコンテンツの再生可否判断をする再生可否判断手段とを有することを特徴とする、ダウンロード端末。
【請求項１６】
各端末毎に固有な端末識別子に関連付けられる永続視聴ライセンスと前記永続視聴ライセンスに関連づけられるダウンロードコンテンツとを蓄積する蓄積手段と、
サーバにおいて前記永続視聴ライセンスが別端末の端末識別子に関連付け直されて前記永続視聴ライセンスが失効したか否かを、前記サーバに対して前記端末識別子を送って定期不定期に確認するライセンス有効性確認手段と、
前記ライセンス有効性確認手段の判断結果に基づいて前記ダウンロードコンテンツの再生可否判断をする再生可否判断手段とを有することを特徴とする、ダウンロード端末。
【請求項１７】
前記再生可否判断手段の判断結果が否であった場合には、前記永続視聴ライセンスおよび前記ダウンロードコンテンツの少なくともどちらか一方を消去することを特徴とする、請求項１１から１６のいずれかに記載のダウンロード端末。
【請求項１８】
前記ダウンロードコンテンツは暗号化されており、
前記再生可否判断手段の判断結果が否であった場合には、前記永続視聴ライセンスに対応する復号鍵を消去することを特徴とする、請求項１１から１６のいずれかに記載のダウンロード端末。
【請求項１９】
前記サーバに対する前記永続視聴ライセンスの有効性の確認を、あらかじめ定められた条件内に実行できない場合には、少なくとも前記永続視聴ライセンスの有効性の確認を実行するまでの間、前記ダウンロードコンテンツの再生を行わないことを特徴とする、請求項１１から１６のいずれかに記載のダウンロード端末。
【請求項２０】
前記条件は、前記永続視聴ライセンスの有効性を前回確認してからの経過時間であることを特徴とする、請求項１９に記載のダウンロード端末。
【請求項２１】
各端末毎に固有な端末識別子に関連付けられる、ダウンロードコンテンツの永続視聴ライセンスの有効性を判断するに際し、
第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送することを特徴とする、永続視聴ライセンスの有効性の判断方法。
【請求項２２】
前記第１の端末からの確認応答を、定期または不定期に受信することを特徴とする、請求項２１に記載の永続視聴ライセンスの有効性の判断方法。
【請求項２３】
前記第１の端末に固有な端末識別子に関連付けられる、ダウンロードコンテンツの永続視聴ライセンスの有効性を判断するに際し、
前記第１の端末から受取った前記端末識別子を用いて前記永続視聴ライセンスが第２の端末の前記端末識別子に関連付け直されて前記永続視聴ライセンスが失効したか否かをもって、前記永続視聴ライセンスの有効性の可否判断結果とすることを特徴とする、請求項２１に記載の永続視聴ライセンスの有効性の判断方法。
【請求項２４】
前記端末識別子と前記永続視聴ライセンスに固有のライセンス識別子とを前記第１の端末から受け取り、
前記ライセンス識別子によって指し示される前記永続視聴ライセンスが既に前記端末識別子で指し示される端末においては失効状態であるか否かをもって、
前記永続視聴ライセンスの有効性の可否判断結果とすることを特徴とする、請求項２１に記載の永続視聴ライセンスの有効性の判断方法。
【請求項２５】
各端末毎に固有な端末識別子に関連付けられる、ダウンロードコンテンツの永続視聴ライセンスの有効性を判断するに際し、
端末から送られてくる前期端末識別子がすでに無効化された前記端末識別子であるかどうかをもって、前記永続視聴ライセンスの有効性の可否判断結果とすることを特徴とする、永続視聴ライセンスの有効性の判断方法。
【請求項２６】
第１の端末に固有な端末識別子に関連付けられる、ダウンロードコンテンツの永続視聴ライセンスの有効性を判断するに際し、
前記第１の端末から受取った前記端末識別子を用いて、
前記永続視聴ライセンスが第２の端末の前記端末識別子に関連付け直されて前記永続視聴ライセンスが失効したか否かをもって、前記永続視聴ライセンスの有効性の可否判断結果とすることを特徴とする永続視聴ライセンスの有効性の判断方法。
【請求項２７】
前記永続視聴ライセンスの有効性の可否判断結果が否であった場合には、前記第１の端末上における前記永続視聴ライセンスおよび前記ダウンロードコンテンツの少なくともどちらか一方を消去させることを特徴とする、請求項２１から２６のいずれかに記載の永続視聴ライセンスの有効性の判断方法。
【請求項２８】
前記ダウンロードコンテンツは暗号化されており、
前記永続視聴ライセンスの有効性の可否判断結果が否であった場合には、前記永続視聴ライセンスに対応する前記ダウンロードコンテンツの復号鍵を消去させることを特徴とする、請求項２１から２６のいずれかに記載の永続視聴ライセンスの有効性の判断方法。
【請求項２９】
前記端末から、前記永続視聴ライセンスの有効性の確認が、あらかじめ定められた条件内に実行されない場合には、少なくとも前記永続視聴ライセンスの有効性の確認が実行されるまでの間、前記ダウンロードコンテンツの再生を行わせないことを特徴とする、請求項２１から２６のいずれかに記載の永続視聴ライセンスの有効性の判断方法。
【請求項３０】
前記条件は、前記永続視聴ライセンスの有効性が前回確認してからの経過時間であることを特徴とする、請求項２９に記載の永続視聴ライセンスの有効性の判断方法。
【請求項３１】
各端末毎に固有な端末識別子に関連付けられる、ダウンロードコンテンツの永続視聴ライセンスの有効性を判断するに際し、
第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段を備えたことを特徴とする、サーバ。
【請求項３２】
前記第１の端末からの確認応答を、定期または不定期に受信することを特徴とする、請求項３１に記載のサーバ。
【請求項３３】
前記永続視聴ライセンスと関連付けられた、各端末固有の端末識別子を前記第１の端末から受取り、前記永続視聴ライセンスが前記第２の端末の前記端末識別子に関連付け直されて前記永続視聴ライセンスが前記第１の端末において失効したか否か判断する無効化端末識別手段を備え、
前記無効化端末識別手段の判断結果をもって、前記永続視聴ライセンスの有効性の可否判断結果とすることを特徴とする、請求項３１に記載のサーバ。
【請求項３４】
前記端末識別子と前記永続視聴ライセンスに固有のライセンス識別子とを前記第１の端末から受け取り、
前記ライセンス識別子によって指し示される前記永続視聴ライセンスが既に前記端末識別子で指し示される端末においては失効状態であるか否かをもって、前記永続視聴ライセンスの有効性の可否判断結果とし、これを返送する永続視聴ライセンス有効性返送手段を備えたことを特徴とする、請求項３１に記載のサーバ。
【請求項３５】
ダウンロードコンテンツの永続視聴ライセンスと関連付けられた、各端末固有の端末識別子を前記端末から受取って前期端末識別子がすでに無効化された前記端末識別子であるかを判断する無効化端末識別手段を備え、
前記無効化端末識別手段の判断結果をもって、前記永続視聴ライセンスの有効性の可否判断結果とすることを特徴とする、サーバ。
【請求項３６】
ダウンロードコンテンツの永続視聴ライセンスと関連付けられた、各端末固有の端末識別子を第１の端末から受取り、前記永続視聴ライセンスが第２の端末の前記端末識別子に関連付け直されて前記永続視聴ライセンスが前記第１の端末において失効したか否か判断する無効化端末識別手段を備え、
前記無効化端末識別手段の判断結果をもって、前記永続視聴ライセンスの有効性の可否判断結果とすることを特徴とする、サーバ。
【請求項３７】
前記永続視聴ライセンスの有効性の可否判断結果が否であった場合には、前記第１の端末上における前記永続視聴ライセンスまたは前記ダウンロードコンテンツの少なくともどちらか一方を消去させる失効コンテンツ消去指示手段を備えたことを特徴とする、請求項３１から３６のいずれかに記載のサーバ。
【請求項３８】
前記永続視聴ライセンスの有効性の可否判断結果が否であった場合には、前記永続視聴ライセンスに対応する暗号化コンテンツの復号鍵を消去させるコンテンツ消去指示手段を備えたことを特徴とする、請求項３１から３６のいずれかに記載のサーバ。
【請求項３９】
前記第１の端末から、前記永続視聴ライセンスの有効性の確認が、あらかじめ定められた条件内に実行されない場合には、少なくとも前記永続視聴ライセンスの有効性の確認が実行されるまでの間、前記ダウンロードコンテンツの再生を行わせない再生抑制手段を備えたことを特徴とする、請求項３１から３６のいずれかに記載のサーバ。
【請求項４０】
前記条件は、前記永続視聴ライセンスの有効性が前回確認してからの経過時間であることを特徴とする、請求項３９に記載のサーバ。
【請求項４１】
少なくとも、
各端末毎に固有な端末識別子に関連付けられる永続視聴ライセンスと、前記永続視聴ライセンスに関連づけられるダウンロードコンテンツとを蓄積する蓄積手段、サーバに対して前記端末識別子を送って前記永続視聴ライセンスの有効性を確認するライセンス有効性確認手段、及び前記ライセンス有効性確認手段の判断結果に基づいて前記ダウンロードコンテンツの再生可否判断をする再生可否判断手段を有するダウンロード端末と、
前記ダウンロード端末としての第１の端末から前記端末識別子が送られてきたときに、前記永続視聴ライセンスの関連付けが、前記第１の端末の端末識別子から前記ダウンロード端末としての第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段を有するサーバと
が、ネットワークを介して接続されることを特徴とするダウンロードシステムであって、
前記第１の端末は、
前記永続視聴ライセンスを取得した日時が前記再生可否判断基準日時よりも古い場合には前記ダウンロードコンテンツの再生可否判断を否と判定することを特徴とする、ダウンロードシステム。
【請求項４２】
少なくとも、
各端末毎に固有な端末識別子に関連付けられる永続視聴ライセンスと、前記永続視聴ライセンスに関連づけられるダウンロードコンテンツとを蓄積する蓄積手段、サーバに対して前記端末識別子を送って前記永続視聴ライセンスの有効性を定期不定期に確認するライセンス有効性確認手段、および前記ライセンス有効性確認手段の判断結果に基づいて前記ダウンロードコンテンツの再生可否判断をする再生可否判断手段を有するダウンロード端末と、
前記永続視聴ライセンスと関連付けられた、前記端末識別子を前記端末から受取って前期端末識別子がすでに無効化された前記端末識別子であるかを判断する無効化端末識別手段を有し、前記無効化端末識別手段の判断結果をもって、前記永続視聴ライセンスの有効性の可否判断結果とするサーバと
が、ネットワークを介して接続されることを特徴とするダウンロードシステム。
【請求項４３】
請求項１１に記載のダウンロード端末の、サーバに対して前記端末識別子を送って前記永続視聴ライセンスの有効性を確認するライセンス有効性確認手段と、前記サーバから再生可否判断基準日時が含まれた前記確認に対する結果を受信し、前記永続視聴ライセンスを取得した日時が前記再生可否判断基準日時よりも古い場合には前記ダウンロードコンテンツの再生可否判断を否と判定する再生可否判断手段としてコンピュータを機能させるためのプログラム。
【請求項４４】
請求項１５に記載のダウンロード端末の、サーバに対して前記端末識別子を送って前記永続視聴ライセンスの有効性を定期不定期に確認するライセンス有効性確認手段と、前記ライセンス有効性確認手段の判断結果に基づいて前記ダウンロードコンテンツの再生可否判断をする再生可否判断手段としてコンピュータを機能させるためのプログラム。
【請求項４５】
請求項１６に記載のダウンロード端末の、サーバにおいて前記永続視聴ライセンスが別端末の端末識別子に関連付け直されて前記永続視聴ライセンスが失効したか否かを、前記サーバに対して前記端末識別子を送って定期不定期に確認するライセンス有効性確認手段と、前記ライセンス有効性確認手段の判断結果に基づいて前記ダウンロードコンテンツの再生可否判断をする再生可否判断手段としてコンピュータを機能させるためのプログラム。
【請求項４６】
請求項３１に記載のサーバの、第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段としてコンピュータを機能させるためのプログラム。
【請求項４７】
請求項３５に記載のサーバの、ダウンロードコンテンツの永続視聴ライセンスと関連付けられた、各端末固有の端末識別子を前記端末から受取って前期端末識別子がすでに無効化された前記端末識別子であるかを判断する無効化端末識別手段としてコンピュータを機能させるためのプログラム。
【請求項４８】
請求項３６に記載のサーバの、ダウンロードコンテンツの永続視聴ライセンスと関連付けられた、各端末固有の端末識別子を第１の端末から受取り、前記永続視聴ライセンスが第２の端末の前記端末識別子に関連付け直されて前記永続視聴ライセンスが前記第１の端末において失効したか否か判断する無効化端末識別手段としてコンピュータを機能させるためのプログラム。
【請求項４９】
請求項４３から４８のいずれかに記載のプログラムを記録した記録媒体であって、コンピュータにより処理可能な記録媒体。
【請求項５０】
サーバから交付されたライセンスを利用して、端末に格納したコンテンツを使用可能とさせるコンテンツの使用システムにおける、コンテンツの管理方法であって、
端末が、自らに設定された端末識別子を用いて、ライセンス交付要求を行う第１の工程と、
サーバが、前記ライセンス交付要求に応じて、ライセンスを前記端末に交付し、そのライセンスについて、前記端末への交付時である交付判断基準日時を記録しておく第２の工程と、
端末が、前記サーバから交付された前記ライセンスを取得するとともに、その取得日時であるライセンス取得日時を記録する第３の工程と、
前記端末が、前記端末識別子を用いて、自らに交付されたライセンスの交付判断基準日時を問い合わせる有効性確認要求を行う第４の工程と、
前記サーバが、前記有効性確認要求を受けると、前記有効性確認要求に係る前記ライセンスの前記交付判断基準日時を少なくとも前記端末に送信する第５の工程と、
前記端末が、前記交付判断基準日時を受信すると、自らに記録したライセンス取得日時とを比較し、これが前記交付判断基準日時より古い場合は、そのライセンス取得日時に関連するライセンスを利用した前記コンテンツの使用が不可能であると判断する第６の工程とを備えた、コンテンツの管理方法。
【請求項５１】
前記第３の工程は、前記サーバが、既に交付したライセンスについて新たにライセンス交付要求を受けることにより同一のライセンスを再度交付した場合は、そのライセンス交付時を、そのライセンスについて、前記再度交付した日時を新たな交付判断基準日時として上書き記録する工程を有する、請求項５０に記載のコンテンツの管理方法。
【請求項５２】
サーバから交付されたライセンスを利用して、端末に格納したコンテンツを使用可能とさせるコンテンツの使用システムにおける、コンテンツの管理方法であって、
端末が、自らに設定された端末識別子を含む、ライセンス交付要求を行う第１の工程と、
サーバが、前記ライセンス交付要求に応じて、ライセンスを前記端末に交付し、そのライセンスについて、前記端末の端末識別子と関連づけて記録しておく第２の工程と、
端末が、前記サーバから交付された前記ライセンスを取得する第３の工程と、
前記端末が、前記端末識別子を用いて、自らに交付されたライセンスが自らの前記端末識別子に関連づけられているかを問い合わせる有効性確認要求を行う第４の工程と、
前記サーバが、前記有効性確認要求を受けると、前記有効性確認要求に係る前記ライセンスが関連づけられている端末識別子を前記端末に送信する第５の工程と、
前記端末が、前記端末識別子を受信すると、これを自らに設定された前記端末識別子とを比較し、一致しない場合は、そのライセンス取得日時に関連するライセンスを利用した前記コンテンツの使用が不可能であると判断する第６の工程とを備えた、コンテンツの管理方法。
【請求項５３】
前記第４の工程は、定期的又は不定期的に行われる、請求項５０又は５２に記載のコンテンツの管理方法。
【請求項５４】
前記第４の工程は、前記ライセンスに固有のライセンス識別子を一緒に前記サーバに送る工程であり、
前記第５の工程は、前記ライセンス識別子に係るライセンスの前記交付判断基準日時を前記端末に送信する工程である、請求項５０に記載のコンテンツの管理方法。
【請求項５５】
前記第６の工程において、前記コンテンツの使用が不可能と判断された場合に、前記ライセンス又は前記ライセンスの前記コンテンツを消去する第７の工程を備えた、請求項５０から５４のいずれかに記載のコンテンツの管理方法。
【請求項５６】
前記コンテンツは、前記ライセンスに応じた復号鍵により復号されるよう暗号化されており、
前記第６の工程において、前記コンテンツの使用が不可能と判断された場合に、前記復号鍵を消去する第７の工程を備えた、請求項５０から５４のいずれかに記載のコンテンツの管理方法。
【請求項５７】
前記第６の工程が、予め定められた条件下で完了できない場合は、少なくとも前記第６の工程が完了するまでの間、前記コンテンツの使用を一時的に不可能にする、請求項５０又は５２に記載のコンテンツの管理方法。
【請求項５８】
前記予め定められた条件とは、前記端末が、前記第６の工程を前回に完了した時からの所定時間内に、今回の前記第６の工程を完了することである、請求項５７に記載のコンテンツの管理方法。
【発明の詳細な説明】
【技術分野】
【０００１】
本発明は、ネットワーク経由で映像や音声コンテンツをダウンロードして再生することのできる、ダウンロード端末、サーバ、及びダウンロードシステム等に関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯やポータブル機器にネットワーク経由でコンテンツをダウンロードするサービスが多く提供されている。
【０００３】
この様なコンテンツ配信サービスにＤＲＭ技術を適用することにより、視聴期限を限って視聴を許可する、コンテンツのレンタルシステムを実現することができた。また、このレンタルシステムの一形態として、売り切りコンテンツ（EST contents: Electric Sell Through content）があり、これはレンタルコンテンツの視聴期限を無期限に設定した形態である。この種のレンタルシステムとしては、例えば、特許文献１に記載されているようなものがあった。
【０００４】
図５は、従来のレンタルシステムの構成を記した図である。図５において、事業者ｗｅｂサーバ１００と、ダウンロードコンテンツサーバ１０１と、ＤＲＭサーバ１０２とがインターネット網１０３を介して家庭内のダウンロード端末１０４からアクセス可能である。事業者ｗｅｂサーバ１００は、レンタル事業者がユーザに対してレンタルコテンツを提示するｗｅｂサーバである。またダウンロードコンテンツサーバ１０１は、ダウンロード端末１０４からの要求に対して、暗号化されたＡＶコンテンツを提供するダウンロードコンテンツのサーバである。また、ＤＲＭサーバ１０２は、ダウンロード端末１０４がダウンロードした暗号化コンテンツを復号するための復号鍵を提供するサーバである。また、ダウンロード端末１０４にはＴＶ１０５が接続されており、視聴者はダウンロードしたコンテンツをＴＶ１０５上で視聴する。
【０００５】
このようなレンタルシステムの動作を、図６、図７および図８に従って説明する。
【０００６】
図７は、ダウンロード端末１０４の内部を示すブロック図である。購入コンテンツ選択部１０７、ダウンロード実行部１１２およびＤＲＭクライアント１１４は、ネットワークＩ／Ｆ１０６を介してインターネット網１０３に接続されている。購入コンテンツ選択部１０７は、ユーザからの指示（図示せず）があると、事業者ｗｅｂサーバ１００に対して購入コンテンツリスト要求１０８を発行することにより、コンテンツリストページ１０９を取得するとともに、その内容をユーザに提示する。ユーザはこの購入コンテンツリストページ１０９を閲覧して、購入するコンテンツを決定する。ユーザが購入するコンテンツを決定すると、コンテンツ購入要求１１０が購入コンテンツ選択部１０７から事業者ｗｅｂサーバ１００に送信され、これを受けた事業者ｗｅｂサーバ１００は、購入コンテンツ選択部１０７に対して、要求されたコンテンツに対するコンテンツ視聴ライセンス１１１を発行する。
【０００７】
図６は、事業者ｗｅｂサーバ１００が発行するコンテンツ視聴ライセンス１１１のデータ構造を示す図である。コンテンツ視聴ライセンス１１１は、コンテツタイトル１１９、ライセンスＩＤ１２０、コンテンツリファレンスＩＤ(CRID)１２１、ライセンス種別１２２、視聴期間１２３、コンテンツＵＲＩ１２４、ＤＲＭサーバＵＲＩ１２５のデータで構成される。
【０００８】
購入コンテンツ選択部１０７は、取得したコンテンツ視聴ライセンス１１１を、ＨＤＤ１８０に保存するとともに、ダウンロード実行部１１２に対して、ダウンロード命令１３０を発行する。このダウンロード命令１３０には、さきほど取得したコンテンツ視聴ライセンス１１１に含まれていたライセンスＩＤ１２０を含んでいる。
【０００９】
ダウンロード命令１３０を受けたダウンロード実行部１１２は、ＨＤＤ１８０上に保存されているコンテンツ視聴ライセンス１１１を読み出し、購入コンテンツ選択部１０７から指定されたライセンスＩＤ１２０を持つコンテンツ視聴ライセンス１１１を見つけるとともに、これに含まれているコンテンツＵＲＩ１２４から、ダウンロードコンテンツサーバ１０１のアクセス先情報を取得する。ダウンロード実行部１１２は、ダウンロードコンテンツサーバ１０１に対して、コンテンツＵＲＩ１２４で指定されたコンテンツのコンテンツ取得要求１３１を発行し、ダウンロードコンテンツサーバ１０１から暗号化コンテンツ１３２をダウンロードするとともに、取得した暗号化コンテンツ１３２をＨＤＤ１８０に保存する。この際に、取得した暗号化コンテンツ１３２は、コンテンツ視聴ライセンス１１１の中のライセンスＩＤ１２０に対応付けられて保存される。
【００１０】
視聴コンテンツ選択部１１３は、ユーザが視聴するコンテンツを選ぶためのブロックであり、ユーザからの指示（図示せず）があると、ＨＤＤ１８０上に蓄積されているコンテンツ視聴ライセンス１１１を読み出して、視聴可能なコンテンツの一覧をユーザに提示する。また視聴コンテンツ選択部１１３は、ユーザの選択したコンテンツに対応するコンテンツ視聴ライセンス１１１をＨＤＤ１８０から読み出し、当該コンテンツに対応する復号鍵要求１３３をＤＲＭクライアント１１４に対して発行する。このとき、復号鍵要求１３３には、コンテンツ視聴ライセンス１１１から読み出したライセンスＩＤ１２０、コンテンツリファレンスＩＤ(CRID)１２１およびＤＲＭサーバＵＲＩ１２５とが含まれる。
【００１１】
復号鍵要求１３３を受けたＤＲＭクライアント１１４は、ＤＲＭサーバＵＲＩ１２５に基づいてＤＲＭサーバ１０２のアクセス先を識別し、ＤＲＭサーバ１０２との間で認証鍵交換処理１１６を実行する。ＤＲＭクライアント１１４は、認証鍵交換処理１１６で確立した暗号化通信経路上で、ＤＲＭサーバ１０２に対して復号鍵要求１１７を発行する。この復号鍵要求１１７には、視聴コンテンツ選択部１１３から取得したライセンスＩＤ１２０と、コンテンツリファレンスＩＤ(CRID)１２１とが含まれる。
【００１２】
ＤＲＭクライアント１１４からの復号鍵要求１１７を受信したＤＲＭサーバ１０２は、指定されたコンテンツの復号鍵１１８をＤＲＭクライアント１１４に返送する。
【００１３】
ＤＲＭクライアント１１４が取得した復号鍵１１８は視聴コンテンツ選択部１１３に返送され、視聴コンテンツ選択部１１３は復号鍵１１８を復号機１４０にセットするとともに、ＨＤＤ１８０上に保存する。
【００１４】
視聴コンテンツ選択部１１３は、復号機１４０に対して復号命令１４１を発行する。この復号命令１４１には、ライセンスＩＤ１２０が含まれる。復号命令１４１を受けた復号機１４０は、受け取ったライセンスＩＤ１２０をもとに、対応する暗号化ダウンロードコンテンツをＨＤＤ１８０上から読み出し、セットされている復号鍵１１８を用いてこれを復号して復号コンテンツ１４２を出力する。復号コンテンツ１４２はＡＶデコーダ１４３に入力され、ＴＶ視聴に適した信号形式にデコードされてＴＶ出力１４４として出力される。
【００１５】
ＤＲＭクライアント１１４が取得した復号鍵１１８には、後述する視聴有効期間が設定されており、この有効期間の範囲内であれば、ダウンロード端末１０４はＤＲＭサーバ１０２から復号鍵１１８の再取得を行う必要はなく、ＨＤＤ１８０上に保存してある復号鍵１１８を用いて暗号化コンテンツの復号を行うことができる。
【００１６】
図８は、事業者ｗｅｂサーバ１００、ダウンロードコンテンツサーバ１０１およびＤＲＭサーバ１０２におけるデータ生成を示す図である。ダウンロードコンテンツサーバ１０１上には、事業者ｗｅｂサーバ１００によってユーザに提示される、購入可能なコンテンツのリストに対応したコンテンツソース１７２が格納されている。これらのコンテンツには個々にコンテンツリファレンスＩＤ(CRID)１２１が割り振られている。暗号化機１７３は、コンテンツソース１７２を暗号化する暗号機であり、暗号鍵リストから取り出した暗号鍵１８１を用いて個々のコンテンツソース１７２を暗号化し、暗号化コンテンツ１３２として保存する。この際にダウンロードコンテンツサーバ１０１は、コンテンンツリファレンスＩＤ(CRID)１２１と、暗号鍵１８１との対応表である暗号鍵リスト１５１を作成し、これをＤＲＭサーバ１０２との間で、セキュアな通信手段（図示せず）によって共有する。
【００１７】
事業者ｗｅｂサーバ１００では、ダウンロード端末１０４からのコンテンツ購入要求１１０に応じて発行したコンテンツ視聴ライセンス１１１を全て発行済みライセンスリスト１５０として保存しており、この発行済みライセンスリスト１５０はＤＲＭサーバ１０２との間でセキュアな通信路（図示せず）を介して共有される。
【００１８】
ＤＲＭサーバ１０２においては、ダウンロード端末１０４からの復号鍵要求１１７に応じて、復号鍵１１８を生成、返送する。この復号鍵１１８には、復号鍵の有効期間、すなわち、視聴のためにこの復号鍵を利用することが許諾される視聴有効期間が、絶対日時で記されている。ＤＲＭサーバはこの視聴期間を決定するに際して、復号鍵要求１１７に含まれるライセンスＩＤ１２０をもとに発行済みライセンスリスト１５０を検索し、当該コンテンツの視聴期間、（たとえば７日間有効など）を取得するとともに、復号鍵要求１１７を受信した現在時刻とあわせて、復号鍵１１８の有効期間を決定する。具体例としては、復号鍵要求１１７を受信した日時が、２００７年７月５日１０時００分であった場合には、復号鍵１１８の視聴有効期間として、２００７年７月５日１０時００分〜２００７年７月１２日１０時００分を設定し、暗号鍵とともに復号鍵１１８としてダウンロード端末１０４に返送する。ここで、事業者ｗｅｂサーバ上でのコンテンツの販売形態が売り切り形態（EST）であった場合には、この視聴有効期間として、無期限が設定される。
【００１９】
図９は、以上の動作を時系列に沿って模式的に表したシーケンス図である。図中の各番号は上記説明で用いた番号に対応している。ダウンロード端末１０４においてユーザからの再生要求１６１が発生した時刻がｔ１であり、復号されたコンテンツがＴＶ出力１４４として出画開始される時刻がｔ２である。
【００２０】
以上に示したように、ダウンロード端末１０４においては、事業者ｗｅｂサーバ１００から取得したコンテンツ視聴ライセンス１１１に基づいて、ダウンロードコンテンツサーバ１０１から暗号化コンテンツ１３２を取得するとともに、視聴時においてはＤＲＭサーバ１０２に復号鍵要求１１７を発行して、復号鍵１１８を取得し、コンテンツを復号して視聴を実現する。また、この復号鍵１１８の生成の際に、ＤＲＭサーバ１０２においては、コンテンツの視聴有効期間は、ダウンロード端末１０４から復号鍵要求１１７を受信した時刻によって決定される。復号鍵１１８はダウンロード端末１０４のＨＤＤ１８０上に保存され、視聴有効期間内であれば、ＤＲＭサーバ１０２に再度アクセスすることなく、当該コンテンツの視聴を行うことができる。
【００２１】
ここで、ダウンロード端末１０４が故障した際には、ユーザからの故障申請によって事業者ｗｅｂサーバ１００は、発行済みライセンスの再発行を行う。すなわち、それまで使用していたダウンロード端末１０４が故障によって使用不能になり、メーカーにおいても修理が不可能な場合には、メーカーの保証範囲内においてダウンロード端末１０４と同等品のダウンロード端末がユーザに届けられる。この場合、故障したダウンロード端末１０４には、事業者から購入したESTコンテンツ群と、それらに対応する視聴ライセンスおよび復号鍵が含まれていたことになるが、置き換えられた新しい端末には当然、それらは含まれていないことになる。事業者はユーザに対して、購入したESTコンテンツの永続的な視聴権を販売したことになるので、端末故障時には、コンテンツ、ライセンスおよび復号鍵をユーザの新しい端末に再度取得し直すことを認める。ユーザは事業者に故障申請を行った後、新しいダウンロード端末のコンテンツ復旧機能（図示せず）を操作することにより、新しいダウンロード端末は事業者ｗｅｂサーバ１００にアクセスして、新たに発行し直されたコンテンツ視聴ライセンス１１を再取得し、続いて暗号化コンテンツ１３２と復号鍵１１８を取得し直す。
【特許文献１】特開２００５−３３２１３７号公報
【発明の開示】
【発明が解決しようとする課題】
【００２２】
しかしながら上記従来のレンタルシステムにおいては、コンテンツの視聴有効期間が無期限の場合に、以下のような課題があった。
【００２３】
第１の課題としては、視聴期限が無期限のEST用視聴ライセンスにおいて、当該ライセンスを取得して以降、ダウンロード端末１０４がＤＲＭサーバ１０２などのサーバ群に再度アクセスすることなくESTコンテンツの視聴を継続することが可能であるため、例えばダウンロード端末１０４が故障した際に、故障までの間にダウンロード端末１０４に対して発行が完了したEST用の視聴ライセンスを無効化できないという課題がある。
【００２４】
これは、悪意のユーザの観点に立てば、ESTコンテンツの購入契約が済んで視聴可能な状態になったダウンロード端末に関して、事業者へ虚偽の申請として故障申請を行えば、別途ユーザが購入した別端末に再度暗号化コンテンツ１３２、コンテンツ視聴ライセンス１１１および復号鍵１１８を再取得させることが可能になることを意味しており、結果としてESTコンテンツが複数の端末にコピーされたことと同等の結果となるという課題を有している。
【００２５】
第２の課題として、ダウンロード端末１０４が保有する、ESTコンテンツに関するコンテンツ視聴ライセンス１１１の有効性をサーバ群に確認する場合、コンテンツ視聴ライセンス１１１ごとについてそれぞれ有効性確認をおこなうことになるため、保有するコンテンツの数に比例して処理時間がかかってしまい、ユーザの利便性を著しく損なうという課題があった。
【００２６】
本発明は、以上の課題に鑑みてなされたものであり、ユーザの利便性を損なうことなく、ライセンスの有効性を管理しながらコンテンツを利用させることができるコンテンツ利用方法、永続視聴ライセンスの有効性の判断方法、ダウンロード端末、サーバ、システム、コンテンツの管理方法、プログラム及び記録媒体を提供することを目的とする。
【課題を解決するための手段】
【００２７】
上記の目的を達成するために、第１の本発明は、
ダウンロード端末におけるダウンロードコンテンツの利用方法であって、
前記ダウンロード端末は、各端末毎に固有な端末識別子に関連付けられる永続視聴ライセンスを取得し、
前記永続視聴ライセンスに関連づけられるダウンロードコンテンツを蓄積し、
サーバに対して前記端末識別子を送って前記永続視聴ライセンスの有効性を確認し、前記サーバから再生可否判断基準日時が含まれた前記確認に対する結果を受信し、
前記永続視聴ライセンスを取得した日時が前記再生可否判断基準日時よりも古い場合には前記ダウンロードコンテンツの再生可否判断を否と判定することを特徴とする、コンテンツ利用方法である。
【００２８】
又、第２の本発明は、
前記サーバへの確認に対する確認応答は、定期または不定期に行うことを特徴とする、第１の本発明のコンテンツ利用方法である。
【００２９】
又、第３の本発明は、
前記ダウンロード端末は、サーバにおいて前記永続視聴ライセンスが別端末の端末識別子に関連付け直されて前記永続視聴ライセンスが失効したか否かを、前記サーバに対して前記端末識別子を送って定期不定期に確認し、その確認結果に基づいて前記ダウンロードコンテンツの再生可否判断をすることを特徴とする、第１の本発明のコンテンツ利用方法である。
【００３０】
又、第４の本発明は、
前記端末識別子を前記サーバに送る際に、前記永続視聴ライセンスに固有のライセンス識別子を一緒に前記サーバに送り、前記サーバが判定した前記ダウンロード端末に関連付けられた前記永続視聴ライセンスの有効性確認結果を前記ダウンロードコンテンツの再生可否判断とすることを特徴とする、第１の本発明のコンテンツ利用方法である。
【００３１】
又、第５の本発明は、
ダウンロード端末におけるダウンロードコンテンツの利用方法であって、
前記ダウンロード端末は、
各端末毎に固有な端末識別子に関連付けられる永続視聴ライセンスを取得し、
前記永続視聴ライセンスに関連づけられるダウンロードコンテンツを蓄積し、
サーバに対して前記端末識別子を送って前記永続視聴ライセンスの有効性を定期不定期に確認した結果に基づいて前記ダウンロードコンテンツの再生可否判断をすることを特徴とするコンテンツ利用方法である。
【００３２】
又、第６の本発明は、
ダウンロード端末におけるダウンロードコンテンツの利用方法であって、
前記ダウンロード端末は、
各端末毎に固有な端末識別子に関連付けられる永続視聴ライセンスを取得し、
前記永続視聴ライセンスに関連づけられるダウンロードコンテンツを蓄積し、
サーバにおいて前記永続視聴ライセンスが別端末の端末識別子に関連付け直されて前記永続視聴ライセンスが失効したか否かを、前記サーバに対して前記端末識別子を送って定期不定期に確認し、その確認結果に基づいて前記ダウンロードコンテンツの再生可否判断をすることを特徴とするコンテンツ利用方法である。
【００３３】
又、第７の本発明は、
前記ダウンロードコンテンツの再生可否判断が否であった場合には、前記永続視聴ライセンスおよび前記ダウンロードコンテンツの少なくともどちらか一方を消去することを特徴とする、第１から第６のいずれかの本発明のコンテンツ利用方法である。
【００３４】
又、第８の本発明は、
前記ダウンロードコンテンツは暗号化されており、
前記ダウンロードコンテンツの再生可否判断が否であった場合には、前記永続視聴ライセンスに対応する復号鍵を消去することを特徴とする、第１から第６のいずれかの本発明のコンテンツ利用方法である。
【００３５】
又、第９の本発明は、
前記サーバに対する前記永続視聴ライセンスの有効性の確認を、あらかじめ定められた条件内に実行できない場合には、少なくとも前記永続視聴ライセンスの有効性の確認を実行するまでの間、前記ダウンロードコンテンツの再生を行わないことを特徴とする、第１から第６のいずれかの本発明のコンテンツ利用方法である。
【００３６】
又、第１０の本発明は、
前記条件は、前記永続視聴ライセンスの有効性を前回確認してからの経過時間であることを特徴とする、第９の本発明のコンテンツ利用方法である。
【００３７】
又、第１１の本発明は、
各端末毎に固有な端末識別子に関連付けられる永続視聴ライセンスと、
前記永続視聴ライセンスに関連づけられるダウンロードコンテンツとを蓄積する蓄積手段と、
サーバに対して前記端末識別子を送って前記永続視聴ライセンスの有効性を確認するライセンス有効性確認手段と、
前記サーバから再生可否判断基準日時が含まれた前記確認に対する結果を受信し、前記永続視聴ライセンスを取得した日時が前記再生可否判断基準日時よりも古い場合には前記ダウンロードコンテンツの再生可否判断を否と判定する再生可否判断手段とを備えたことを特徴とする、ダウンロード端末である。
【００３８】
又、第１２の本発明は、
前記ライセンス有効性確認手段は、前記サーバへの確認に対する確認応答を、定期または不定期に行うことを特徴とする、第１１の本発明のダウンロード端末である。
【００３９】
又、第１３の本発明は、
前記ライセンス有効性確認手段は、前記サーバにおいて前記永続視聴ライセンスが別端末の端末識別子に関連付け直されて前記永続視聴ライセンスが失効したか否かを、前記サーバに対して前記端末識別子を送って定期不定期に確認し、
前記再生可否判断手段は、前記ライセンス有効性確認手段の確認結果に基づいて前記ダウンロードコンテンツの再生可否判断をすることを特徴とする、第１１の本発明のダウンロード端末である。
【００４０】
又、第１４の本発明は、
前記ライセンス有効性確認手段は、前記端末識別子を前記サーバに送る際に、前記永続視聴ライセンスに固有のライセンス識別子を一緒に前記サーバに送り、
前記再生可否判断手段は、前記サーバが判定した前記ダウンロード端末に関連付けられた前記永続視聴ライセンスの有効性確認結果を前記ダウンロードコンテンツの再生可否判断とすることを特徴とする、第１１の本発明のダウンロード端末である。
【００４１】
又、第１５の本発明は、
各端末毎に固有な端末識別子に関連付けられる永続視聴ライセンスと前記永続視聴ライセンスに関連づけられるダウンロードコンテンツとを蓄積する蓄積手段と、
サーバに対して前記端末識別子を送って前記永続視聴ライセンスの有効性を定期不定期に確認するライセンス有効性確認手段と、
前記ライセンス有効性確認手段の判断結果に基づいて前記ダウンロードコンテンツの再生可否判断をする再生可否判断手段とを有することを特徴とする、ダウンロード端末である。
【００４２】
又、第１６の本発明は、
各端末毎に固有な端末識別子に関連付けられる永続視聴ライセンスと前記永続視聴ライセンスに関連づけられるダウンロードコンテンツとを蓄積する蓄積手段と、
サーバにおいて前記永続視聴ライセンスが別端末の端末識別子に関連付け直されて前記永続視聴ライセンスが失効したか否かを、前記サーバに対して前記端末識別子を送って定期不定期に確認するライセンス有効性確認手段と、
前記ライセンス有効性確認手段の判断結果に基づいて前記ダウンロードコンテンツの再生可否判断をする再生可否判断手段とを有することを特徴とする、ダウンロード端末である。
【００４３】
又、第１７の本発明は、
前記再生可否判断手段の判断結果が否であった場合には、前記永続視聴ライセンスおよび前記ダウンロードコンテンツの少なくともどちらか一方を消去することを特徴とする、第１１から第１６のいずれかの本発明のダウンロード端末である。
【００４４】
又、第１８の本発明は、
前記ダウンロードコンテンツは暗号化されており、
前記再生可否判断手段の判断結果が否であった場合には、前記永続視聴ライセンスに対応する復号鍵を消去することを特徴とする、第１１から第１６のいずれかの本発明のダウンロード端末である。
【００４５】
又、第１９の本発明は、
前記サーバに対する前記永続視聴ライセンスの有効性の確認を、あらかじめ定められた条件内に実行できない場合には、少なくとも前記永続視聴ライセンスの有効性の確認を実行するまでの間、前記ダウンロードコンテンツの再生を行わないことを特徴とする、第１１から第１６の本発明のダウンロード端末である。
【００４６】
又、第２０の本発明は、
前記条件は、前記永続視聴ライセンスの有効性を前回確認してからの経過時間であることを特徴とする、第１９の本発明のダウンロード端末である。
【００４７】
又、第２１の本発明は、
各端末毎に固有な端末識別子に関連付けられる、ダウンロードコンテンツの永続視聴ライセンスの有効性を判断するに際し、
第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送することを特徴とする永続視聴ライセンスの有効性の判断方法である。
【００４８】
又、第２２の本発明は、
前記第１の端末からの確認応答を、定期または不定期に受信することを特徴とする、第２１の本発明の永続視聴ライセンスの有効性の判断方法である。
【００４９】
又、第２３の本発明は、
前記第１の端末に固有な端末識別子に関連付けられる、ダウンロードコンテンツの永続視聴ライセンスの有効性を判断するに際し、
前記第１の端末から受取った前記端末識別子を用いて前記永続視聴ライセンスが第２の端末の前記端末識別子に関連付け直されて前記永続視聴ライセンスが失効したか否かをもって、前記永続視聴ライセンスの有効性の可否判断結果とすることを特徴とする、第２１の本発明の永続視聴ライセンスの有効性の判断方法である。
【００５０】
又、第２４の本発明は、
前記端末識別子と前記永続視聴ライセンスに固有のライセンス識別子とを前記第１の端末から受け取り、
前記ライセンス識別子によって指し示される前記永続視聴ライセンスが既に前記端末識別子で指し示される端末においては失効状態であるか否かをもって、
前記永続視聴ライセンスの有効性の可否判断結果とすることを特徴とする、第２１の本発明の永続視聴ライセンスの有効性の判断方法である。
【００５１】
又、第２５の本発明は、
各端末毎に固有な端末識別子に関連付けられる、ダウンロードコンテンツの永続視聴ライセンスの有効性を判断するに際し、
端末から送られてくる前期端末識別子がすでに無効化された前記端末識別子であるかどうかをもって、前記永続視聴ライセンスの有効性の可否判断結果とすることを特徴とする、永続視聴ライセンスの有効性の判断方法である。
【００５２】
又、第２６の本発明は、
第１の端末に固有な端末識別子に関連付けられる、ダウンロードコンテンツの永続視聴ライセンスの有効性を判断するに際し、
前記第１の端末から受取った前記端末識別子を用いて、
前記永続視聴ライセンスが第２の端末の前記端末識別子に関連付け直されて前記永続視聴ライセンスが失効したか否かをもって、前記永続視聴ライセンスの有効性の可否判断結果とすることを特徴とする永続視聴ライセンスの有効性の判断方法である。
【００５３】
又、第２７の本発明は、
前記永続視聴ライセンスの有効性の可否判断結果が否であった場合には、前記第１の端末上における前記永続視聴ライセンスおよび前記ダウンロードコンテンツの少なくともどちらか一方を消去させることを特徴とする、第２１から第２６のいずれかの本発明の永続視聴ライセンスの有効性の判断方法である。
【００５４】
又、第２８の本発明は、
前記ダウンロードコンテンツは暗号化されており、
前記永続視聴ライセンスの有効性の可否判断結果が否であった場合には、前記永続視聴ライセンスに対応する前記ダウンロードコンテンツの復号鍵を消去させることを特徴とする、第２１から２６のいずれかの本発明の永続視聴ライセンスの有効性の判断方法である。
【００５５】
又、第２９の本発明は、
前記端末から、前記永続視聴ライセンスの有効性の確認が、あらかじめ定められた条件内に実行されない場合には、少なくとも前記永続視聴ライセンスの有効性の確認が実行されるまでの間、前記ダウンロードコンテンツの再生を行わせないことを特徴とする、第２１から２６のいずれかの本発明の永続視聴ライセンスの有効性の判断方法である。
【００５６】
又、第３０の本発明は、
前記条件は、前記永続視聴ライセンスの有効性が前回確認してからの経過時間である
ことを特徴とする、第２９の本発明の永続視聴ライセンスの有効性の判断方法である。
【００５７】
又、第３１の本発明は、
各端末毎に固有な端末識別子に関連付けられる、ダウンロードコンテンツの永続視聴ライセンスの有効性を判断するに際し、
第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段を備えたことを特徴とする、サーバである。
【００５８】
又、第３２の本発明は、
前記第１の端末からの確認応答を、定期または不定期に受信することを特徴とする、第３１の本発明のサーバである。
【００５９】
又、第３３の本発明は、
前記永続視聴ライセンスと関連付けられた、各端末固有の端末識別子を前記第１の端末から受取り、前記永続視聴ライセンスが前記第２の端末の前記端末識別子に関連付け直されて前記永続視聴ライセンスが前記第１の端末において失効したか否か判断する無効化端末識別手段を備え、
前記無効化端末識別手段の判断結果をもって、前記永続視聴ライセンスの有効性の可否判断結果とすることを特徴とする、第３１の本発明のサーバである。
【００６０】
又、第３４の本発明は、
前記端末識別子と前記永続視聴ライセンスに固有のライセンス識別子とを前記第１の端末から受け取り、
前記ライセンス識別子によって指し示される前記永続視聴ライセンスが既に前記端末識別子で指し示される端末においては失効状態であるか否かをもって、前記永続視聴ライセンスの有効性の可否判断結果とし、これを返送する永続視聴ライセンス有効性返送手段を備えたことを特徴とする、第３１の本発明のサーバである。
【００６１】
又、第３５の本発明は、
ダウンロードコンテンツの永続視聴ライセンスと関連付けられた、各端末固有の端末識別子を前記端末から受取って前期端末識別子がすでに無効化された前記端末識別子であるかを判断する無効化端末識別手段を備え、
前記無効化端末識別手段の判断結果をもって、前記永続視聴ライセンスの有効性の可否判断結果とすることを特徴とする、サーバである。
【００６２】
又、第３６の本発明は、
ダウンロードコンテンツの永続視聴ライセンスと関連付けられた、各端末固有の端末識別子を第１の端末から受取り、前記永続視聴ライセンスが第２の端末の前記端末識別子に関連付け直されて前記永続視聴ライセンスが前記第１の端末において失効したか否か判断する無効化端末識別手段を備え、
前記無効化端末識別手段の判断結果をもって、前記永続視聴ライセンスの有効性の可否判断結果とすることを特徴とする、サーバである。
【００６３】
又、第３７の本発明は、
前記永続視聴ライセンスの有効性の可否判断結果が否であった場合には、前記第１の端末上における前記永続視聴ライセンスまたは前記ダウンロードコンテンツの少なくともどちらか一方を消去させる失効コンテンツ消去指示手段を備えたことを特徴とする、第３１から第３６のいずれかの本発明のサーバである。
【００６４】
又、第３８の本発明は、
前記永続視聴ライセンスの有効性の可否判断結果が否であった場合には、前記永続視聴ライセンスに対応する暗号化コンテンツの復号鍵を消去させるコンテンツ消去指示手段を備えたことを特徴とする、第３１から第３６のいずれかの本発明のサーバである。
【００６５】
又、第３９の本発明は、
前記第１の端末から、前記永続視聴ライセンスの有効性の確認が、あらかじめ定められた条件内に実行されない場合には、少なくとも前記永続視聴ライセンスの有効性の確認が実行されるまでの間、前記ダウンロードコンテンツの再生を行わせない再生抑制手段を備えたことを特徴とする、第３１から第３６のいずれかの本発明のサーバである。
【００６６】
又、第４０の本発明は、
前記条件は、前記永続視聴ライセンスの有効性が前回確認してからの経過時間であることを特徴とする、第３９の本発明のサーバである。
【００６７】
又、第４１の本発明は、
少なくとも、
各端末毎に固有な端末識別子に関連付けられる永続視聴ライセンスと、前記永続視聴ライセンスに関連づけられるダウンロードコンテンツとを蓄積する蓄積手段、サーバに対して前記端末識別子を送って前記永続視聴ライセンスの有効性を確認するライセンス有効性確認手段、及び前記ライセンス有効性確認手段の判断結果に基づいて前記ダウンロードコンテンツの再生可否判断をする再生可否判断手段を有するダウンロード端末と、
前記ダウンロード端末としての第１の端末から前記端末識別子が送られてきたときに、前記永続視聴ライセンスの関連付けが、前記第１の端末の端末識別子から前記ダウンロード端末としての第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段を有するサーバと
が、ネットワークを介して接続されることを特徴とするダウンロードシステムであって、
前記第１の端末は、
前記永続視聴ライセンスを取得した日時が前記再生可否判断基準日時よりも古い場合には前記ダウンロードコンテンツの再生可否判断を否と判定することを特徴とする、ダウンロードシステムである。
【００６８】
又、第４２の本発明は、
少なくとも、
各端末毎に固有な端末識別子に関連付けられる永続視聴ライセンスと、前記永続視聴ライセンスに関連づけられるダウンロードコンテンツとを蓄積する蓄積手段、サーバに対して前記端末識別子を送って前記永続視聴ライセンスの有効性を定期不定期に確認するライセンス有効性確認手段、および前記ライセンス有効性確認手段の判断結果に基づいて前記ダウンロードコンテンツの再生可否判断をする再生可否判断手段を有するダウンロード端末と、
前記永続視聴ライセンスと関連付けられた、前記端末識別子を前記端末から受取って前期端末識別子がすでに無効化された前記端末識別子であるかを判断する無効化端末識別手段を有し、前記無効化端末識別手段の判断結果をもって、前記永続視聴ライセンスの有効性の可否判断結果とするサーバと
が、ネットワークを介して接続されることを特徴とするダウンロードシステムである。
【００６９】
又、第４３の本発明は、
第１１の本発明のダウンロード端末の、サーバに対して前記端末識別子を送って前記永続視聴ライセンスの有効性を確認するライセンス有効性確認手段と、前記サーバから再生可否判断基準日時が含まれた前記確認に対する結果を受信し、前記永続視聴ライセンスを取得した日時が前記再生可否判断基準日時よりも古い場合には前記ダウンロードコンテンツの再生可否判断を否と判定する再生可否判断手段としてコンピュータを機能させるためのプログラムである。
【００７０】
又、第４４の本発明は、
第１５の本発明のダウンロード端末の、サーバに対して前記端末識別子を送って前記永続視聴ライセンスの有効性を定期不定期に確認するライセンス有効性確認手段と、前記ライセンス有効性確認手段の判断結果に基づいて前記ダウンロードコンテンツの再生可否判断をする再生可否判断手段としてコンピュータを機能させるためのプログラムである。
【００７１】
又、第４５の本発明は、
第１６の本発明のダウンロード端末の、サーバにおいて前記永続視聴ライセンスが別端末の端末識別子に関連付け直されて前記永続視聴ライセンスが失効したか否かを、前記サーバに対して前記端末識別子を送って定期不定期に確認するライセンス有効性確認手段と、前記ライセンス有効性確認手段の判断結果に基づいて前記ダウンロードコンテンツの再生可否判断をする再生可否判断手段としてコンピュータを機能させるためのプログラムである。
【００７２】
又、第４６の本発明は、
第３１の本発明のサーバの、第１の端末から前記端末識別子が送られてきたときに、前記永続視聴ライセンスの関連付けが、前記第１の端末の端末識別子から第２の端末の端末識別子に既に関連付け直されていた場合には、前記関連付けなおしが行われた日時以前に前記第１の端末が取得した前記永続視聴ライセンスが失効状態であることを指し示すところの前記関連付けなおしが行われた日時を、前記第１の端末に返送する移行日時返送手段としてコンピュータを機能させるためのプログラムである。
【００７３】
又、第４７の本発明は、
第３５の本発明のサーバの、ダウンロードコンテンツの永続視聴ライセンスと関連付けられた、各端末固有の端末識別子を前記端末から受取って前期端末識別子がすでに無効化された前記端末識別子であるかを判断する無効化端末識別手段としてコンピュータを機能させるためのプログラムである。
【００７４】
又、第４８の本発明は、
第３６の本発明のサーバの、ダウンロードコンテンツの永続視聴ライセンスと関連付けられた、各端末固有の端末識別子を第１の端末から受取り、前記永続視聴ライセンスが第２の端末の前記端末識別子に関連付け直されて前記永続視聴ライセンスが前記第１の端末において失効したか否か判断する無効化端末識別手段としてコンピュータを機能させるためのプログラムである。
【００７５】
又、第４９の本発明は、
第４３から第４８のいずれかの本発明のプログラムを記録した記録媒体であって、コンピュータにより処理可能な記録媒体である。
【００７６】
又、第５０の本発明は、
サーバから交付されたライセンスを利用して、端末に格納したコンテンツを使用可能とさせるコンテンツの使用システムにおける、コンテンツの管理方法であって、
端末が、自らに設定された端末識別子を用いて、ライセンス交付要求を行う第１の工程と、
サーバが、前記ライセンス交付要求に応じて、ライセンスを前記端末に交付し、そのライセンスについて、前記端末への交付時である交付判断基準日時を記録しておく第２の工程と、
端末が、前記サーバから交付された前記ライセンスを取得するとともに、その取得日時であるライセンス取得日時を記録する第３の工程と、
前記端末が、前記端末識別子を用いて、自らに交付されたライセンスの交付判断基準日時を問い合わせる有効性確認要求を行う第４の工程と、
前記サーバが、前記有効性確認要求を受けると、前記有効性確認要求に係る前記ライセンスの前記交付判断基準日時を少なくとも前記端末に送信する第５の工程と、
前記端末が、前記交付判断基準日時を受信すると、自らに記録したライセンス取得日時とを比較し、これが前記交付判断基準日時より古い場合は、そのライセンス取得日時に関連するライセンスを利用した前記コンテンツの使用が不可能であると判断する第６の工程とを備えた、コンテンツの管理方法である。
【００７７】
又、第５１の本発明は、
前記第３の工程は、前記サーバが、既に交付したライセンスについて新たにライセンス交付要求を受けることにより同一のライセンスを再度交付した場合は、そのライセンス交付時を、そのライセンスについて、前記再度交付した日時を新たな交付判断基準日時として上書き記録する工程を有する、第５０の本発明のコンテンツの管理方法である。
【００７８】
又、第５２の本発明は、
サーバから交付されたライセンスを利用して、端末に格納したコンテンツを使用可能とさせるコンテンツの使用システムにおける、コンテンツの管理方法であって、
端末が、自らに設定された端末識別子を含む、ライセンス交付要求を行う第１の工程と、
サーバが、前記ライセンス交付要求に応じて、ライセンスを前記端末に交付し、そのライセンスについて、前記端末の端末識別子と関連づけて記録しておく第２の工程と、
端末が、前記サーバから交付された前記ライセンスを取得する第３の工程と、
前記端末が、前記端末識別子を用いて、自らに交付されたライセンスが自らの前記端末識別子に関連づけられているかを問い合わせる有効性確認要求を行う第４の工程と、
前記サーバが、前記有効性確認要求を受けると、前記有効性確認要求に係る前記ライセンスが関連づけられている端末識別子を前記端末に送信する第５の工程と、
前記端末が、前記端末識別子を受信すると、これを自らに設定された前記端末識別子とを比較し、一致しない場合は、そのライセンス取得日時に関連するライセンスを利用した前記コンテンツの使用が不可能であると判断する第６の工程とを備えた、コンテンツの管理方法である。
【００７９】
又、第５３の本発明は、
前記第４の工程は、定期的又は不定期的に行われる、第５０又は第５２の本発明のコンテンツの管理方法である。
【００８０】
又、第５４の本発明は、
前記第４の工程は、前記ライセンスに固有のライセンス識別子を一緒に前記サーバに送る工程であり、
前記第５の工程は、前記ライセンス識別子に係るライセンスの前記交付判断基準日時を前記端末に送信する工程である、第５０の本発明のコンテンツの管理方法である。
【００８１】
又、第５５の本発明は、
前記第６の工程において、前記コンテンツの使用が不可能と判断された場合に、前記ライセンス又は前記ライセンスの前記コンテンツを消去する第７の工程を備えた、第５０から第５４のいずれかの本発明のコンテンツの管理方法である。
【００８２】
又、第５６の本発明は、
前記コンテンツは、前記ライセンスに応じた復号鍵により復号されるよう暗号化されており、
前記第６の工程において、前記コンテンツの使用が不可能と判断された場合に、前記復号鍵を消去する第７の工程を備えた、第５０から第５４のいずれかの本発明のコンテンツの管理方法である。
【００８３】
又、第５７の本発明は、
前記第６の工程が、予め定められた条件下で完了できない場合は、少なくとも前記第６の工程が完了するまでの間、前記コンテンツの使用を一時的に不可能にする、第５０又は第５２の本発明のコンテンツの管理方法である。
【００８４】
又、第５８の本発明は、
前記予め定められた条件とは、前記端末が、前記第６の工程を前回に完了した時からの所定時間内に、今回の前記第６の工程を完了することである、第５７の本発明のコンテンツの管理方法である。
【発明の効果】
【００８５】
以上説明したように本発明によれば、ユーザの利便性を損なうことなく、ライセンスの有効性を管理しながらコンテンツを利用させることができるという顕著な効果が得られる。例えば、端末故障に際して新規端末にコンテンツおよびその視聴権を復旧した場合にも、ユーザの利便性を損なうことなく、旧故障端末に発行されたライセンスを無効化することができる。
【発明を実施するための最良の形態】
【００８６】
以下、本発明の実施の形態について、図面を参照しながら説明する。以下、従来例と同じ機能を持つ部分には同じ番号を付し、説明を省略する。
【００８７】
図１は、本発明の実施の形態におけるレンタルシステムの構成図である。従来のレンタルシステムと同様、事業者ｗｅｂサーバ７００と、ダウンロードコンテンツサーバ１０１と、ＤＲＭサーバ１０２とがインターネット網１０３を介して家庭内のダウンロード端末２０４からアクセス可能である。基本的には図５に示すレンタルシステムと同様の機能を有するが、後述するように、本発明の実施の形態は、ダウンロード端末２０４及び事業者ｗｅｂサーバ７００に特徴を有する。
【００８８】
図４は、本発明の実施の形態におけるコンテンツ視聴ライセンス１７０のデータ構造を示す図である。ライセンス取得日時１７１は、コンテンツ視聴ライセンス１７０を事業者ｗｅｂサーバ７００がダウンロード端末２０４に対して発行した日時である。
【００８９】
図２は、本発明の実施の形態におけるダウンロード端末２０４のブロック図である。従来のダウンロード端末１０４と同じ機能を有するブロックには同じ番号を付し、説明を省略する。
【００９０】
購入コンテンツ選択部１０７は、コンテンツ購入要求１１０を送付する際に、ダウンロード端末毎に固有に割り当てられた機器ＩＤ８９９を読み出してこれを一緒に送付する。また購入コンテンツ選択部１０７は、ユーザからのライセンス移行要求８０１を受けとると、故障した旧端末の機器ＩＤおよび自身の機器ＩＤ８９９とともにライセンス移行要求８７９を事業者ｗｅｂサーバ７００に送ることにより、事業者ｗｅｂサーバ７００に発行済みライセンスの再構築を依頼したあと、事業者ｗｅｂサーバ７００にライセンス再交付要求８７８を送付し、その応答として事業者ｗｅｂサーバ７００からライセンス再交付８７７を受取り、ＨＤＤ１８０上に保存する。
【００９１】
ライセンス有効性確認部８９５は、タイマ８００から１日に１度割り込みを受けて、事業者ｗｅｂサーバにライセンス有効性確認要求８９８を送付する。この際には、機器ＩＤ８９９を読み出して一緒に送付する。またライセンス有効性確認部８９５は、事業者ｗｅｂサーバ７００におけるライセンス有効性確認の結果であるところのライセンス失効日時８９４を受取る。ライセンス有効性確認部８９５は、事業者ｗｅｂサーバ７００から受取ったライセンス失効日時９８４の結果が、ライセンスの失効をしていないことを示す値である０ｘＦＦＦＦＦＦであった場合には、再生可否情報８９６に対して再生可否８９１に"可"を書き込むとともに、最終確認日時８９０に現在の時刻を書き込む。
【００９２】
また、ライセンス失効日時８９４の結果が、ライセンスの失効日時を示している場合には、コンテンツ消去部８９７に対して、コンテンツ消去命令８９３を命令する。このコンテンツ消去命令８９３には、ライセンス失効日時８９４が含まれている。またライセンス有効性確認部８９５は、通信障害や、ユーザがダウンロード端末２０４をネットワークに接続していなかったなどの事情により、事業者ｗｅｂサーバ７００からライセンス失効日時８９４が得られなかった場合には、最終確認日時８９０を読み出し、前回確認が行われた日時と現在日時とを比較する。もしもこの両者の比較によって、ダウンロード端末２０４が１週間以上の間、ライセンスの有効性確認が実施できていないと判定された場合には、ライセンス有効性確認部８９５は、再生可否情報８９６の再生可否８９１に"否"を書き込む。この"否"は、次にライセンスの有効性が確認できたときに、ライセンス有効性確認部８９５によって、"可"に書き戻される。
【００９３】
コンテンツ消去部８９７は、受取ったコンテンツ消去命令８９３に含まれるライセンス失効日時８９４を参照し、ＨＤＤ１８０上に蓄積されているコンテンツ視聴ライセンスのうち、全てのＥＳＴライセンスを調査し、ライセンス失効日時８９４が指し示す日時よりも古いライセンス取得日時１７１をもつコンテンツ視聴ライセンス１７０と、それに関連付けられている暗号化コンテンツ１３２および復号鍵１１８を消去する。
【００９４】
復号機１４０は復号命令１４１を受取ると、再生可否情報８９６の再生可否８９１を読み出し、内容が"否"である場合には復号を、行わず、"可"であるときにのみ復号を行う。
【００９５】
視聴コンテンツ選択部２０５は、ユーザが視聴するコンテンツを選ぶためのブロックであり、ユーザからの指示（図示せず）があると、ＨＤＤ１８０上に蓄積されているコンテンツ視聴ライセンス１７０を読み出して、視聴可能なコンテンツの一覧をユーザに提示する。また視聴コンテンツ選択部２０５は、ユーザの選択したコンテンツに対応するコンテンツ視聴ライセンス１７０をＨＤＤ１８０から読み出し、復号機１４０に対して復号命令１４１を発行する。この復号命令１４１には、ライセンスＩＤ１２０が含まれる。復号命令１４１を受けた復号機１４０は、受け取ったライセンスＩＤ１２０をもとに、対応する暗号化ダウンロードコンテンツをＨＤＤ１８０上から読み出し、ＡＶデコーダ１４３に対して出力開始する。またＡＶデコーダ１４３に出力を行うためには、コンテンツの復号を行う必要があるが、復号機１４０は受取った復号命令１４１に含まれるライセンスＩＤ１２０をもとに、関連付けられた復号鍵１１８をＨＤＤ１８０から読み出して復号のための鍵として内部にセットし、復号を実行する。
【００９６】
視聴コンテンツ選択部２０５は、ユーザから指定されたコンテンツに対応する復号鍵１１８がまだ取得できていない場合には、復号機１４０に対して復号命令１４１を発行したのち、従来例と同様の手順で復号鍵１１８を取得する。取得された復号鍵１１８は、視聴コンテンツ選択部２０５によって、復号機１４０にセットされる。
【００９７】
図３は、本発明の実施の形態における事業者ｗｅｂサーバ７００の入出力を模式的に説明する図であるが、事業者ｗｅｂサーバ１００と同じ機能については説明を省略する。
【００９８】
移行済みライセンスリスト８８０は、ダウンロード端末からライセンス移行要求８７９を受取ったときに、ライセンス移行要求８７９に含まれる、故障機の機器ＩＤと、ライセンス移行要求８７９を受取った日時とのペアをリストとして保存しているものである。
【００９９】
事業者ｗｅｂサーバ７００は、ダウンロード端末２０４からライセンス移行要求８７９を受取ると、これに含まれる故障機の機器ＩＤと、新しい置換機の機器ＩＤ８９９とを読み出し、自身の持つ発行済みライセンスリスト１５０の中に含まれる、故障機の機器ＩＤを持つライセンスを抽出する。しかるのち、抽出したライセンス群のそれぞれの機器ＩＤ領域を、新しい置換機の機器ＩＤ８９９に書き換えて保存する。またそれと並行して、移行済みライセンスリスト８８０の追記を行う。
【０１００】
事業者ｗｅｂサーバ７００は、ダウンロード端末２０４からのライセンス有効性確認要求８９８を受取ると、これに含まれる機器ＩＤ８９９をもとに移行済みライセンスリスト８８０を検索し、該当する機器ＩＤが移行済みライセンスリスト８８０に含まれていない場合には、失効ライセンスが存在しないことを意味する値である０ｘＦＦＦＦＦＦをライセンス失効日時８９４としてダウンロード端末２０４に返送する。また、該当する機器ＩＤが移行済みライセンスリスト８８０に含まれる場合には、当該機器ＩＤに関連付けられた移行日時を、ライセンス失効日時８９４としてダウンロード端末２０４に返送する。
【０１０１】
また事業者ｗｅｂサーバ７００は、ダウンロード端末２０４からのライセンス再交付要求８７８を受取ると、自身の持つ発行済みライセンスリスト１５０の中から、機器ＩＤ８９９に対応するライセンス群を抽出し、ライセンス再交付８７７としてダウンロード端末２０４に返送する。
【０１０２】
以下に、ダウンロード端末２０４が故障したときのユーザ操作およびダウンロード端末２０４の動作を説明する。ユーザが保有するダウンロード端末２０４が故障し、新たな代替機をユーザが入手すると、ユーザは代替機を操作して、購入コンテンツ選択部１０７に対してライセンス移行要求８０１を入力する。この際にユーザは、故障した旧ダウンロード端末の機器ＩＤ８０２を、リモコンキー（図示せず）などを用いて入力する。これを受けた購入コンテンツ選択部１０７は、事業者ｗｅｂサーバ７００に対してライセンス移行要求８７９を発行し、しかるのち、ライセンス再交付要求８７８を同様に発行する。購入コンテンツ選択部１０７は、発行したライセンス再交付要求８７８に対する応答としてライセンス再交付８７７を受取ると、これに含まれるコンテンツ視聴ライセンスをＨＤＤ１８０上に保存する。コンテンツ視聴ライセンスがＨＤＤ上に保存された後の動作は、従来例と同様に暗号化コンテンツおよび復号鍵１１８を取得するが、詳細な動作については省略する。
【０１０３】
次に、復号機１４０の動作について説明するが、従来例と同じ動作については説明を省略する。復号機１４０は復号命令１４１を受けて復号を開始する際に、再生可否情報８９６を読み出し、再生可否８９１の値が"可"であるときは復号を開始し、値が"否"である場合には復号動作を行わない。
【０１０４】
以上説明したように、ユーザが故障の申請をした後に、新ダウンロード端末２０４にコンテンツ、ライセンスおよび復号鍵が復旧され、また、仮にユーザが故障したと申請した端末をネットワークから切り離した状態で使い続けたとしても、故障申請から１週間が経過した時点でＨＤＤ１８０に保存されているコンテンツは見ることができなくなるとともに、ユーザが旧故障端末をネットワークに再接続した場合には、新ダウンロード端末２０４上に移行されたライセンスに関連するダウンロードコンテンツと、復号鍵１１８とはＨＤＤ１８０上から消去される。
【０１０５】
なお、本実施の形態においては、ライセンス有効性確認部８９５の確認処理は、１日に一度定期的に確認することしたが、ライセンス有効性確認部８９５の確認処理はこれに限らない。すなわち、タイマからの定期的な割り込みではなく、例えばユーザがダウンロード端末の電源を切ったことをきっかけとしたり、また、ダウンロード端末２０４におけるダウンロード作業や録画作業が完了したことをきっかけとしたりなど、このほかの条件をきっかけとしてライセンス有効性確認部８９５の確認処理が行われたとしても、同様の効果が得られることは言うまでもない。
【０１０６】
また、本実施の形態においては、ライセンス失効日時８９４が本発明の再生可否判断基準日時の一例としたが、他のタイミングに基づき基準を定めてもよい。
【０１０７】
また、本実施の形態においては、ダウンロード端末２０４とサーバ群との接続はインターネット網を介するものとしていたが、ダウンロード端末２０４とサーバ群との接続方法はこれに限らない。すなわち、専用線やケーブル事業者のネットワークや、閉域網を介して接続されていたとしても、同様の効果が得られることは言うまでもない。
【０１０８】
また、本実施の形態においては、有効性確認が行われずにダウンロードコンテンツの再生ができなくなるまでの期間を１週間としたが、もっと長い期間や短い期間であっても同様の効果が得られることは言うまでもない。
【０１０９】
また、本実施の形態においては、ユーザ所有の端末が故障した際の申告先として、事業者ｗｅｂサーバ７００であるとしたが、ライセンスの再発行のための申告先はこれに限らない。すなわち、ダウンロード端末２０４の製造者であるメーカーや、事業者ｗｅｂサーバ７００を一元化して扱うポータル運営会社など、ユーザがどこに申告したとしても、ライセンスの移行のための処理が実行されるのであれば、同様の効果が得られることは言うまでもない。
【０１１０】
また、本実施の形態においては、事業者ｗｅｂサーバ７００、ダウンロードコンテンツサーバ１０１およびＤＲＭサーバ１０２をそれぞれ別サーバとして説明したが、本発明の実施形態はこれに限らない。すなわち、事業者ｗｅｂサーバ７００、ダウンロードコンテンツサーバ１０１およびＤＲＭサーバ１０２のうちの少なくとも任意の２つが同一サーバであったとしても、同様の効果がえられることは言うまでもない。
【０１１１】
また、本実施の形態においては、再生可否判断の結果を参照するのは復号機１０４であるとしたが、再生可否判断の結果を反映するのは復号機１０４に限らず、ＡＶデコーダであったり、視聴コンテンツを選択させたＧＵＩ部であったりしても同様の効果が得られることは言うまでもない。
【０１１２】
なお、本発明にかかるプログラムは、上述した本発明のダウンロード端末、又はサーバの全部または一部の手段の機能をコンピュータにより実行させるためのプログラムであって、コンピュータと協働して動作するプログラムであってもよい。
【０１１３】
また、本発明は、上述した本発明のダウンロード端末、又はサーバの全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
【０１１４】
なお、本発明の上記「一部の手段」とは、それらの複数の手段の内の、幾つかの手段を意味し、あるいは、一つの手段の内の、一部の機能を意味するものである。
【０１１５】
また、本発明の一部の装置とは、それらの複数の装置の内の、幾つかの装置を意味し、あるいは、一つの装置の内の、一部の手段を意味し、あるいは、一つの手段の内の、一部の機能を意味するものである。
【０１１６】
また、本発明のプログラムを記録した、コンピュータに読みとり可能な記録媒体も本発明に含まれる。
【０１１７】
また、本発明のプログラムの一利用形態は、コンピュータにより読み取り可能な記録媒体に記録され、コンピュータと協働して動作する態様であっても良い。
【０１１８】
また、本発明のプログラムの一利用形態は、伝送媒体中を伝送し、コンピュータにより読みとられ、コンピュータと協働して動作する態様であっても良い。
【０１１９】
また、記録媒体としては、ＲＯＭ等も含まれる。
【０１２０】
また、上述した本発明のコンピュータは、ＣＰＵ等の純然たるハードウェアに限らず、ファームウェアや、ＯＳ、更に周辺機器を含むものであっても良い。
【０１２１】
なお、以上説明した様に、本発明の構成は、ソフトウェア的に実現しても良いし、ハードウェア的に実現しても良い。
【産業上の利用可能性】
【０１２２】
本発明によれば、ユーザの利便性を損なうことなく、ライセンスの有効性を管理しながらコンテンツを利用させることができるという効果を有し、例えば、ユーザの保有するダウンロード端末が故障した際にも、新たな端末上にＥＳＴコンテンツの復旧が安全に実施でき、かつ、悪意のユーザによる虚偽の故障申請があった場合にも、旧故障端末における不正視聴を、ユーザの利便性を損なうことなく防ぐことが可能なコンテンツ配信システムとして有用である。
【図面の簡単な説明】
【０１２３】
【図１】本発明の実施の形態におけるレンタルシステムの構成図である。
【図２】本発明の実施の形態におけるダウンロード端末２０４のブロック図である。
【図３】本発明の実施の形態における事業者ｗｅｂサーバ７００への入出力を示す図である。
【図４】本発明の実施の形態におけるコンテンツ視聴ライセンスのデータ構造を示す図である。
【図５】従来のレンタルシステムの構成図である。
【図６】従来のコンテンツ視聴ライセンスのデータ構造を示す図である。
【図７】従来のダウンロード端末のブロック図である。
【図８】従来のサーバ群の構成およびデータ共有を示す図である。
【図９】従来のレンタルシステムの動作概要を示すシーケンス図である。
【符号の説明】
【０１２４】
１００、７００  事業者ｗｅｂサーバ
１０１  ダウンロードコンテンツサーバ
１０２  ＤＲＭサーバ
１０３  インターネット網
１０４、２０４  ダウンロード端末
１０５  ＴＶ
１０６  ネットワークＩ／Ｆ
１０７  購入コンテンツ選択部
１０８  購入コンテンツリスト要求
１０９  コンテンツリストページ
１１０  コンテンツ購入要求
１１１  コンテンツ視聴ライセンス
１１２  ダウンロード実行部
１１３  視聴コンテンツ選択部
１１４  ＤＲＭクライアント
１１６  認証鍵交換
１１７  復号鍵要求
１１８  復号鍵
１１９  コンテンツタイトル
１２０  ライセンスＩＤ
１２１  コンテンツリファレンスＩＤ
１２２  ライセンス種別
１２３  視聴期間
１２４  コンテンツＵＲＩ
１２５  ＤＲＭサーバＵＲＩ
１３０  ダウンロード命令
１３１  コンテンツ要求
１３２  暗号化コンテンツ
１３３  復号鍵要求
１４０  復号機
１４３  ＡＶデコーダ
１４４  ＴＶ出力
１５０  発行済みライセンスリスト
１５１  暗号鍵リスト
１７０  コンテンツ視聴ライセンス
１７１  ライセンス取得日時
１７２  コンテンツソース
１７３  暗号機
１８０  ＨＤＤ
２０５  視聴コンテンツ選択部
７００  事業者ｗｅｂサーバ
８００  タイマ
８０１  ライセンス移行要求
８０２  旧機器ＩＤ
８７７  ライセンス再交付
８７８  ライセンス再交付要求
８７９  ライセンス移行要求
８８０  移行済みライセンスリスト
８９０  最終確認日時
８９１  再生可否
８９３  コンテンツ消去命令
８９４  ライセンス失効日時
８９５  ライセンス有効性確認部
８９６  再生可否情報
８９７  コンテンツ消去部
８９８  ライセンス有効性確認要求
８９９  機器ＩＤ
【図１】
2009042925.tif 000003
【図２】
2009042925.tif 000004
【図３】
2009042925.tif 000005
【図４】
2009042925.tif 000006
【図５】
2009042925.tif 000007
【図６】
2009042925.tif 000008
【図７】
2009042925.tif 000009
【図８】
2009042925.tif 000010
【図９】
2009042925.tif 000011